(57)【特許請求の範囲】
【請求項１】
水源と出水具との間に設けられた給水システムであって、
前記水源と前記出水具との間に設けられた第１給水路と、前記水源と前記出水具との間に設けられ、かつ、該出水具の上流側で前記第１給水路に合流する第２給水路と、前記第１給水路に設けられた第１のポンプ装置と、前記第１給水路に設けられた第１逆止弁と、前記第２給水路に設けられた第２のポンプ装置と、前記第２給水路に設けられた第２逆止弁と、前記第１のポンプ装置および第２のポンプ装置の運転・停止を制御する制御手段とを具備し、更に、
前記第１のポンプ装置の合計運転時間情報を取得・出力する第１ポンプ合計運転時間情報取得手段と、
前記第２のポンプ装置の合計運転時間情報を取得・出力する第２ポンプ合計運転時間情報取得手段と、
前記第１のポンプ装置のポンプ運転回数情報を取得・出力する第１ポンプ運転回数情報取得手段と、
前記第２のポンプ装置のポンプ運転回数情報を取得・出力する第２ポンプ運転回数情報取得手段と、
前記第１のポンプ装置の連続運転時間情報を取得・出力する第１ポンプ連続運転時間情報取得手段と、
前記第２のポンプ装置の連続運転時間情報を取得・出力する第２ポンプ連続運転時間情報取得手段と、
前記第１のポンプ装置の運転停止時間情報を取得・出力する第１ポンプ運転停止時間情報取得手段と、
前記第２のポンプ装置の運転停止時間情報を取得・出力する第２ポンプ運転停止時間情報取得手段と、
前記第１のポンプ装置および／または第２のポンプ装置の運転時における前記給水路での水圧情報を取得・出力する水圧情報取得手段
とを具備することを特徴とする給水システム。
【請求項２】
第１のポンプ装置および第２のポンプ装置の上流側に設けられた受水槽と、
前記受水槽に設けられた定水位弁装置と、
前記受水槽内に給水を開始してから次の給水開始までの給水間隔の時間情報を取得・出力する給水間隔時間情報取得手段と、
前記受水槽内に連続して給水を行なう給水の回数情報を取得・出力する給水回数情報取得手段
とを更に具備することを特徴とする請求項１の給水システム。
【発明の詳細な説明】
【技術分野】
【０００１】
本発明は給水システムに関する。特に、例えばマンションやビル或いは大規模開発住宅地においては、受水槽（貯水タンク）から蛇口に至る給水路は該受水槽から蛇口の前段までには複数の給水路が、そして各々の給水路にはポンプが各々に設けられているのが通常であるが、このような系における故障または故障に至る前の不調の状態を正確、かつ、容易に検知できる技術に関するものである。
【背景技術】
【０００２】
マンション・ビル、或いは大規模開発住宅地においては、一箇所に大型受水槽が設置され、この受水槽（水源）から各家庭・室に水道管（給水路）が引かれ、蛇口（出水具）の栓が開かれると、水が出るようになっている。このような給水システムにおいて、通常、給水路は、何らかの支障が起きたことを想定して、特に、ポンプの故障を想定して、又、ポンプを交互に休ませてポンプの耐久性を高める為に、複数個のポンプを設けている。すなわち、各家庭・室に設けられた蛇口（出水具）と受水槽との間に、例えば２台のポンプを設置し、１台のポンプが故障あるいは出力低下しても残りのポンプで代用させ、又、交互にポンプを休ませることでポンプの休止時間を長くし、故障が起き難いものとしている。
【０００３】
ところで、上記の如きのシステムにおいて、給水システムに問題が起きているか否かのチェックは、定期的に点検員が来て外観を目視し、又、異音を聴き取り、或いは電流値を観測して判断しているのが普通である。
【０００４】
又、長い期間に亘って利用される建築の給水設備については、可用性を確保しつつ、修繕や交換費用を低減することが求められる。しかしながら、現状では、メーカが推奨する早め早めの交換や、上記観測から経験的に判断していることから、必ずしも、費用的には適切であるとは考えられ難い状態にある。
【発明の開示】
【発明が解決しようとする課題】
【０００５】
しかしながら、外観を目視し、又、異音を聴き取り、或いは電流値を観測して、ポンプなどの装置を含む給水システムに問題が起きているか否かの判断は極めて困難である。況してや、今日のような社会状況下にあっては、長年の経験に基づいた方法で故障の発生を見分けることが出来る熟練技術者は、最早、存在しないと言っても過言では無い。
【０００６】
例えば、異常と判断されてポンプの交換を行なったものの、古いポンプが全く支障ないことも再々認められた。逆に、異常が認められないと判断されたものの、それから、間もない中にポンプ故障が発生する場合も起きていた。又、二台のポンプを並べて設置し、互いの故障をカバーし、不足能力を補いつつ均等に使用することで、寿命を延ばすことを企図していながらも、二台のポンプの運転時間に差が有るのに気が付かず、一台のポンプのみを酷使してしまい、結局、交換を早くしなければならない場合も縷々起きていた。
【０００７】
すなわち、これまで、科学的根拠に基づく設備管理が行なわれておらず、管理コストのみが嵩んでいたのが現実であった。
【０００８】
従って、本発明が解決しようとする課題は、科学的根拠に基づく管理が低廉なコストで実施できる給水システムを提供することである。
【課題を解決するための手段】
【０００９】
前記の課題を解決する為の検討が、本発明者によって、鋭意、推し進められて行った。その結果、給水システムにおける故障内容や原因が幾つかのタイプに分類できることが究明されるに至った。例えば、給水ポンプに問題が有る場合、逆止弁に問題が有る場合、圧力スイッチに問題が有る場合、それが如何なる現象として現れるかが究明されたのである。従って、如何なる現象をチェックしてれば如何なる問題が起きているのか、逆に言えば、如何なる現象が起きてなければ、今すぐ、その部品交換の必要は無いのかが判るようになったのである。すなわち、如何なる現象をチェックしてれば科学的な管理が可能になるかが判って来たのである。
【００１０】
上記知見を基にして本発明が達成されたものである。
【００１１】
すなわち、前記の課題は、
水源と出水具との間に設けられた給水システムであって、
前記水源と前記出水具との間に設けられた第１給水路と、前記水源と前記出水具との間に設けられ、かつ、該出水具の上流側で前記第１給水路に合流する第２給水路と、前記第１給水路に設けられた第１のポンプ装置と、前記第１給水路に設けられた第１逆止弁と、前記第２給水路に設けられた第２のポンプ装置と、前記第２給水路に設けられた第２逆止弁と、前記第１のポンプ装置および第２のポンプ装置の運転・停止を制御する制御手段とを具備し、更に、
前記第１のポンプ装置の合計運転時間情報を取得する第１ポンプ合計運転時間情報取得手段と、
前記第２のポンプ装置の合計運転時間情報を取得する第２ポンプ合計運転時間情報取得手段と、
前記第１のポンプ装置のポンプ運転回数情報を取得する第１ポンプ運転回数情報取得手段と、
前記第２のポンプ装置のポンプ運転回数情報を取得する第２ポンプ運転回数情報取得手段と、
前記第１のポンプ装置の連続運転時間情報を取得する第１ポンプ連続運転時間情報取得手段と、
前記第２のポンプ装置の連続運転時間情報を取得する第２ポンプ連続運転時間情報取得手段と、
前記第１のポンプ装置の運転停止時間情報を取得する第１ポンプ運転停止時間情報取得手段と、
前記第２のポンプ装置の運転停止時間情報を取得する第２ポンプ運転停止時間情報取得手段と、
前記第１のポンプ装置および／または第２のポンプ装置の運転時における前記給水路での水圧情報を取得する水圧情報取得手段
とを具備することを特徴とする給水システムによって解決される。
【発明の効果】
【００１２】
本発明によれば、例えばマンションの給水システムにおける管理が科学的に行なわれる。その結果、不必要な部品交換が無くなり、管理コストが低廉なものになる。かつ、異音の有無で判断と言った非常に難しい能力を持たない者でも正確・容易に管理でき、即ち、熟練技術者を必要としないので、管理・運営コストが低廉になる。更には、通信手段を介してデータを集めることが出来、即ち、マンションに、一々、出向くこと無く、必要な場合のみ出向くことで管理が出来、この点からも管理・運営コストが低廉になる。
【発明を実施するための最良の形態】
【００１３】
本発明になる給水システムは、水源（例えば、受水槽）と出水具（蛇口）との間に設けられた給水システムである。そして、水源と出水具との間には第１給水路が設けられている。この第１給水路には第１のポンプ装置や第１逆止弁が設けられている。又、前記水源と出水具との間で、かつ、該出水具の上流側において前記第１給水路に合流する第２給水路が設けられている。この第２給水路には第２のポンプ装置や第２逆止弁が設けられている。又、前記第１のポンプ装置や第２のポンプ装置などによる出力圧（水圧）を検出する出力圧検出手段（例えば、圧力計）が設けられている。又、圧力スイッチが設けられている。又、前記第１のポンプ装置および第２のポンプ装置の運転・停止を制御する制御手段も設けられている。更に、前記第１のポンプ装置の合計運転時間情報を取得する第１ポンプ合計運転時間情報取得手段と、前記第２のポンプ装置の合計運転時間情報を取得する第２ポンプ合計運転時間情報取得手段とを有する。又、前記第１のポンプ装置のポンプ運転回数情報を取得する第１ポンプ運転回数情報取得手段と、前記第２のポンプ装置のポンプ運転回数情報を取得する第２ポンプ運転回数情報取得手段とを有する。又、前記第１のポンプ装置の連続運転時間情報を取得する第１ポンプ連続運転時間情報取得手段と、前記第２のポンプ装置の連続運転時間情報を取得する第２ポンプ連続運転時間情報取得手段とを有する。又、前記第１のポンプ装置の運転停止時間情報を取得する第１ポンプ運転停止時間情報取得手段と、前記第２のポンプ装置の運転停止時間情報を取得する第２ポンプ運転停止時間情報取得手段とを有する。又、前記第１のポンプ装置および／または第２のポンプ装置の運転時における前記給水路（第１給水路および／または第２給水路）での水圧情報を取得する水圧情報取得手段を有する。そして、第１のポンプ装置および第２のポンプ装置の上流側に設けられた受水槽を有する場合には、好ましくは、前記受水槽に設けられた定水位弁装置と、前記受水槽内に給水を開始してから次の給水開始までの給水間隔の時間情報を取得する給水間隔時間情報取得手段と、前記受水槽内に連続して給水を行なう給水回数情報を取得する給水回数情報取得手段とを更に具備する。又、上記情報取得手段で得られた情報を出力する出力手段（紙にプリントするプリンタ、或いは液晶表示画面などに表示する表示手段）を有する。
【００１４】
以下、更に詳しく説明する。
【００１５】
図１は本発明の給水システムの概略図である。
【００１６】
図１中、１は受水槽（貯水タンク）である。この受水槽１は、量水器を介して水道管（公営本管）に繋がっており、一定量の水が貯えられるようになっている。  尚、受水槽１には定水位弁装置１４が設けられている。これによって、基本的には、受水槽１の水位が一定の範囲内に在るように制御される。尚、１５は水位検出手段である。この水位検出手段１５は、例えば複数の電極棒を有する電極セットからなる。そして、長さが異なる電極棒の間に流れる電流を検出することで水位が検出される。従って、水位検出手段１５によって、基準値以下の水位の場合には、定水位弁装置１４を介して水が供給され、基準値を越える水位の場合には、定水位弁装置１４からの給水が停止されるように構成されている。２は、例えばマンション内に設けられている水道管であり、この水道管の先端側には各家庭（部屋）の出水具が取り付けられている。そして、出水具の栓が開けられると、蛇口から水が吐き出される。
【００１７】
４は、各家庭（部屋）の出水具に繋がる水道管２と受水槽１との間に設けられたポンプ室である。このポンプ室４は複数のポンプ装置を有する。すなわち、第１のポンプ装置５ａと第２のポンプ装置５ｂとを備えている。第１のポンプ装置５ａは、受水槽１と水道管２とに繋がる第１給水路６ａの途中に設けられている。第２のポンプ装置５ｂは、受水槽１（或いは、第１のポンプ装置５ａより上流側における第１給水路６ａ）と水道管２（或いは、水道管２より上流側における第１給水路６ａ）とに繋がる第２給水路６ｂの途中に設けられている。又、第１給水路６ａには、第１のポンプ装置５ａより下流側において定圧弁７ａ、逆止弁８ａ、仕切弁９ａが順に設けられている。同様に、第２給水路６ｂには、第２のポンプ装置５ｂより下流側において定圧弁７ｂ、逆止弁８ｂ、仕切弁９ｂが順に設けられている。更に、第１のポンプ装置５ａより上流側の第１給水路６ａには仕切弁１０ａが設けられており、又、第２のポンプ装置５ｂより上流側の第２給水路６ｂには仕切弁１０ｂが設けられている。又、仕切弁９ａより下流側の第１給水路６ａに圧力計１１が設けられている。そして、圧力計１１によって、第１給水路６ａ（第２給水路６ｂ）における圧力（水圧）が検出される。又、圧力計１１より下流側の第１給水路６ａに圧力スイッチ１２が設けられている。この圧力スイッチ１２は、第１給水路６ａ（第２給水路６ｂ）における圧力（水圧）を幾らにするかを設定する為のものである。従って、圧力スイッチ１２がＺの値に設定されていると、圧力スイッチ１２によって規定される圧力がＺより小さくなると、第１のポンプ装置５ａ（第２のポンプ装置５ｂ）の運転を稼動せしめるようになっている。尚、第１のポンプ装置５ａ（第２のポンプ装置５ｂ）の動作停止は、第１給水路６ａ（第２給水路６ｂ）における水の流動停止を検出することによって行なわれるようになっている。又、圧力スイッチ１２より下流側の第１給水路６ａにバッファ用の圧力タンク１３が設けられている。そして、第１のポンプ装置５ａと第２のポンプ装置５ｂとは、交互に、運転が行なわれるように制御されている。すなわち、後述の制御手段によって、第１のポンプ装置５ａが運転している時は第２のポンプ装置５ｂは停止しており、逆に、第２のポンプ装置５ｂが運転している時は第１のポンプ装置５ａは停止している。かつ、第１のポンプ装置５ａの運転と第２のポンプ装置５ｂの運転とは交互に行なわれるよう制御されている。つまり、第１のポンプ装置５ａが運転した次には第２のポンプ装置５ｂが運転し、第２のポンプ装置５ｂが運転した次には第１のポンプ装置５ａが運転するように制御されている。
【００１８】
尚、上記の如きの給水システムは、これまでのマンションにおける給水システムでも採用されているから、詳細な説明は省略される。
【００１９】
さて、図示されていないが、第１のポンプ装置５ａや第２のポンプ装置５ｂの駆動エネルギは電気（電力）であり、第１のポンプ装置５ａや第２のポンプ装置５ｂが稼動中（運転中）であるか停止中であるかは電流（電圧）を検出することで判定できる。例えば、第１のポンプ装置５ａや第２のポンプ装置５ｂの運転・停止を制御する制御手段（図２に示される操作盤内部や操作盤表面の構造を備えた制御装置）Ｘがポンプ室には設けられている。
【００２０】
そして、前記制御手段Ｘを作動させる電流あるいは電圧、又は制御手段Ｘが作動した結果出力する電流あるいは電圧を検出することによって、第１のポンプ装置５ａ（第２のポンプ装置５ｂ）の運転・停止などの情報を取得できるようになっている。この情報取得手段は、例えばマイクロコンピュータで構成される。そして、図３に示される如きの手段を有する。
【００２１】
例えば、第１のポンプ装置５ａの合計運転時間（単位時間（例えば、１日）における運転時間の合計値）情報を取得する第１ポンプ合計運転時間情報取得手段２１ａと、第２のポンプ装置５ｂの合計運転時間（単位時間（例えば、１日）における運転時間の合計値）情報を取得する第２ポンプ合計運転時間情報取得手段２１ｂとを持っている。尚、運転時間は、ポンプ装置５ａ（又は５ｂ）を駆動（運転）している電圧印加時間（或いは通電時間）に相当する。従って、第１ポンプ合計運転時間情報取得手段２１ａや第２ポンプ合計運転時間情報取得手段２１ｂのタイマ（図示せず）によって時間（電圧印加時間（或いは通電時間））が計測され、この計測された時間が第１ポンプ合計運転時間情報取得手段２１ａや第２ポンプ合計運転時間情報取得手段２１ｂによって合算され、これによって合計運転時間は得られる。
【００２２】
又、第１のポンプ装置５ａのポンプ運転回数（単位時間（例えば、１日）における運転回数）情報を取得する第１ポンプ運転回数情報取得手段２２ａと、第２のポンプ装置５ｂのポンプ運転回数（単位時間（例えば、１日）における運転回数）情報を取得する第２ポンプ運転回数情報取得手段２２ｂとを持っている。尚、ポンプ運転回数は、ポンプ装置５ａ（又は５ｂ）を駆動（運転）している電圧印加（或いは通電）の回数に相当する。従って、第１ポンプ運転回数情報取得手段２２ａや第２ポンプ運転回数情報取得手段２２ｂのカウンタ（図示せず）がポンプ駆動（運転）の電圧印加（或いは通電）の回数をカウントすることによってポンプ運転回数が得られる。
【００２３】
又、第１のポンプ装置５ａの連続運転時間（単位回数（１回）当たりの連続運転時間（運転開始から運転停止に至るまでの時間））情報を取得する第１ポンプ連続運転時間情報取得手段２３ａと、第２のポンプ装置５ｂの連続運転時間（単位回数（１回）当たりの連続運転時間（運転開始から運転停止に至るまでの時間））情報を取得する第２ポンプ連続運転時間情報取得手段２３ｂとを有する。尚、連続運転時間は、ポンプ装置５ａ（又は５ｂ）を連続して駆動（運転）している電圧印加時間（或いは通電時間）である。従って、第１ポンプ連続運転時間情報取得手段２３ａや第２ポンプ連続運転時間情報取得手段２３ｂのタイマ（図示せず）によって時間（電圧印加時間（或いは通電時間））が計測され、これによって連続運転時間は得られる。
【００２４】
又、第１のポンプ装置５ａの運転停止時間（単位回数（１回）当たりの運転停止時間（運転停止から運転開始に至るまでの時間））情報を取得する第１ポンプ運転停止時間情報取得手段２４ａと、第２のポンプ装置５ｂの運転停止時間（単位回数（１回）当たりの運転停止時間（運転停止から運転開始に至るまでの時間））情報を取得する第２ポンプ運転停止時間情報取得手段２４ｂとを有する。尚、運転停止時間は、ポンプ装置５ａ（又は５ｂ）が停止している時間、即ち、印加電圧（電流値）が０の時の時間である。従って、第１ポンプ運転停止時間情報取得手段２４ａや第２ポンプ運転停止時間情報取得手段２４ｂのタイマ（図示せず）によって前記時間が計測され、これによって運転停止時間は得られる。
【００２５】
又、第１のポンプ装置５ａまたは第２のポンプ装置５ｂの運転時（運転開始時）における圧力計１１によって得られた水圧情報を取得する水圧情報取得手段２５を有する。
【００２６】
又、受水槽１内に給水を開始してから次の給水開始までの給水間隔の時間（単位回数（１回）当たりの給水間隔の時間）情報を取得する給水間隔時間情報取得手段２６を有する。従って、給水間隔時間情報取得手段２６が有するタイマ（図示せず）によって給水間隔時間が得られる。
【００２７】
又、受水槽１内に連続して給水を行なう給水回数（単位時間（例えば、１日）において連続して給水した回数）情報を取得する給水回数情報取得手段２７を有する。従って、給水回数情報取得手段２７が有するカウンタ（図示せず）によって給水回数がカウントされ、例えば１日における給水回数が得られる。
【００２８】
さて、上記のように構成させた給水システムによって、次のような現象が検出される。
【００２９】
例えば、第１のポンプ装置５ａの吐出性能が劣化して来たとすると、これは図４に示される現象を示すようになる。すなわち、第１のポンプ装置５ａの吐出性能が劣化して来たことから、第１のポンプ装置５ａが一定の仕事を行なおうとすると、長時間に亘って仕事を行なわないと仕事が完了しない。従って、図４（ａ）に示される通り、第１ポンプ合計運転時間情報取得手段２１ａによる第１のポンプ装置５ａの１日当たりの合計運転時間は、吐出性能の劣化に伴って、長くなって行く。これに対して、第１のポンプ装置５ａと第２のポンプ装置５ｂとは、第１のポンプ装置５ａが運転している間は第２のポンプ装置５ｂは運転しない関係にあることから、第２ポンプ合計運転時間情報取得手段２１ｂによる第２のポンプ装置５ｂの１日当たりの合計運転時間は、第１のポンプ装置５ａの吐出性能の劣化に伴って、短くなって行く。そして、第１のポンプ装置５ａの吐出性能が劣化して来たことは、第１のポンプ装置５ａが一定の仕事を行なおうとすると長時間に亘って仕事を行なわないと完了しないことであるから、必然的に、１日当たりの運転回数は少なくなることを意味する。従って、図４（ｂ）に示される通り、第１ポンプ運転回数情報取得手段２２ａによる１日当たりのポンプ運転回数は、第１のポンプ装置５ａの吐出性能の劣化に伴って、少なくなる。同時に、第２のポンプ装置５ｂが仕事する割合は少ないことであるから、第２ポンプ運転回数情報取得手段２２ｂによる１日当たりのポンプ運転回数も少なくなる。又、上述した通り、第１のポンプ装置５ａの吐出性能が劣化して来たことは、第１のポンプ装置５ａが一定の仕事を行なおうとすると長時間に亘って仕事を行なわないと完了しないことであるから、１回当たりの運転時間は長くなる。従って、図４（ｃ）に示される通り、第１ポンプ連続運転時間情報取得手段２３ａによる１回当たりの連続運転時間は、第１のポンプ装置５ａの吐出性能劣化に伴って、長くなる。これに対して、第２のポンプ装置５ｂの吐出性能は第１のポンプ装置５ａの吐出性能とは関係が無いから、第２ポンプ連続運転時間情報取得手段２３ｂによる１回当たりの連続運転時間に変動は起きない。又、蛇口から使用される水量は第１のポンプ装置５ａの吐出性能とは関係が無いから、図４（ｄ）に示される通り、第１ポンプ運転停止時間情報取得手段２４ａや第２ポンプ運転停止時間情報取得手段２４ｂによる１回当たりの運転停止時間に変動は認められない。蛇口から使用される水量は第１のポンプ装置５ａの吐出性能とは関係が無いから、図４（ｅ）に示される通り、水圧情報取得手段２５で得られる運転開始時の圧力（水圧）に変動は認められない。
【００３０】
と言うことは、図４に示される特徴の情報が得られた場合には、第１のポンプ装置５ａの吐出性能が劣化して来たことを疑うことが出来る。尚、第２のポンプ装置５ｂの吐出性能が劣化して来た場合には、図４において、Ｎｏ．１とＮｏ．２との表示が逆になるだけであるから、同様にして、第２のポンプ装置５ｂの吐出性能のチェックが可能である。
【００３１】
又、第１給水路６ａに設けられた逆止弁８ａが劣化して来たとすると、これは図５に示される現象を示すようになる。すなわち、逆止弁８ａが不良になった場合、第１のポンプ装置５ａが運転中の場合には問題ないものの、第１のポンプ装置５ａが停止中には、揚水した水の一部が逆流することであり、かつ、第２のポンプ装置５ｂが運転中の場合には、揚水した水の一部が還流することを意味する。このことから、一部では、第２のポンプ装置５ｂの性能劣化に近い現象を示すものの、図４とは異なることが判る。つまり、第２のポンプ装置５ｂが一定の仕事を行なおうとすると、揚水した水の一部が還流することから、長時間に亘って仕事を行なわないと、仕事は完了しない。従って、図５（ａ）に示される通り、第２ポンプ合計運転時間情報取得手段２１ｂによる第２のポンプ装置５ｂの１日当たりの合計運転時間は長くなって行く。これに対して、第１のポンプ装置５ａと第２のポンプ装置５ｂとは、第２のポンプ装置５ｂが運転している間は第１のポンプ装置５ａは運転しない関係にあることから、第１ポンプ合計運転時間情報取得手段２１ａによる第１のポンプ装置５ａの１日当たりの合計運転時間は短くなって行く。そして、揚水した水の一部が還流することは、蛇口から水が使われなくても、次第に失われていくことに相当するから、必然的に、１日当たりの運転回数は多くなることを意味する。従って、図５（ｂ）に示される通り、第１ポンプ運転回数情報取得手段２２ａ及び第２ポンプ運転回数情報取得手段２２ｂによる１日当たりのポンプ運転回数は多くなる。又、上述した通り、第２のポンプ装置５ｂが揚水した水の一部が還流することは、第２のポンプ装置５ｂが一定の仕事を行なおうとすると、長時間に亘って仕事を行なわないと仕事が完了しないことから、１回当たりの運転時間は長くなる。従って、図５（ｃ）に示される通り、第２ポンプ連続運転時間情報取得手段２３ｂによる１回当たりの連続運転時間は長くなる。これに対して、逆止弁８ａが不良になった場合でも、第１のポンプ装置５ａが運転中の場合には問題ないから、第１ポンプ連続運転時間情報取得手段２３ａによる１回当たりの連続運転時間に変動は起きない。又、逆止弁８ａが不良になった場合、揚水した水の一部が逆流することであるから、蛇口から水が使われなくても、次第に失われていくことに相当するので、必然的に、ポンプの停止時間は短くなる。すなわち、図５（ｄ）に示される通り、第１ポンプ運転停止時間情報取得手段２４ａや第２ポンプ運転停止時間情報取得手段２４ｂによる１回当たりの運転停止時間は、逆止弁８ａの劣化に伴って、短くなって来る。又、ポンプ運転開始時の水圧は逆止弁８ａの劣化には関与しないから、図５（ｅ）に示される通り、水圧情報取得手段２５で得られる運転開始時の圧力（水圧）に変動は認められない。
【００３２】
と言うことは、図５に示される特徴の情報が得られた場合には、第１給水路６ａに設けられた逆止弁８ａが劣化して来たことを疑うことが出来る。尚、第２給水路６ｂに設けられた逆止弁８ｂが劣化して来た場合には、図５において、Ｎｏ．１とＮｏ．２との表示が逆になるだけであるから、同様にして、逆止弁８ｂのチェックが可能である。
【００３３】
次に、圧力スイッチ１２が圧力検知不良あるいは接点破損と言った不良現象を示すようになった場合を考える。このことは、一つは過敏に反応（設定値より高目に起動）することを意味する。従って、図６に示される現象を示すものとなる。すなわち、第１のポンプ装置５ａや第２のポンプ装置５ｂには問題が無いことから、図６（ａ）に示される通り、第１ポンプ合計運転時間情報取得手段２１ａや第２ポンプ合計運転時間情報取得手段２１ｂによる１日当たりの合計運転時間には変動は認められない。しかしながら、過敏に反応すると言うことは、停止しているポンプの運転開始が早いことである。従って、図６（ｂ）に示される通り、第１ポンプ運転回数情報取得手段２２ａ及び第２ポンプ運転回数情報取得手段２２ｂによる１日当たりのポンプ運転回数は多くなる。又、水圧が低下していないのにポンプが運転開始すると言うことは、それだけ速く設定圧力に到達することを意味する。従って、図６（ｃ）に示される通り、第１ポンプ連続運転時間情報取得手段２３ａ及び第２ポンプ連続運転時間情報取得手段２３ｂによる１回当たりの連続運転時間は短くなる。又、上述した通り、停止しているポンプが早目に運転開始すると言うことは、必然的に、ポンプの停止期間は短くなる。従って、図６（ｄ）に示される通り、第１ポンプ運転停止時間情報取得手段２４ａや第２ポンプ運転停止時間情報取得手段２４ｂによる１回当たりの運転停止時間は短くなって来る。又、停止しているポンプの運転開始が早いことは水圧が低下していないのにポンプが運転開始すると言うことであるから、図６（ｅ）に示される通り、水圧情報取得手段２５で得られる運転開始時の圧力（水圧）は高くなる。
【００３４】
と言うことは、図６に示される特徴の情報が得られた場合には、圧力スイッチ１２が不良により設定値より高目で起動と言った不良現象を疑うことが出来る。
【００３５】
これに対して、圧力スイッチ１２の性能劣化であっても、圧力スイッチの動作が鈍感になる場合も有る。これは、設定値よりも低目に起動する場合である。従って、図７に示される現象を示すものとなる。すなわち、第１のポンプ装置５ａや第２のポンプ装置５ｂには問題が無いことから、図７（ａ）に示される通り、第１ポンプ合計運転時間情報取得手段２１ａや第２ポンプ合計運転時間情報取得手段２１ｂによる１日当たりの合計運転時間には変動は認められない。しかしながら、反応が鈍感と言うことは、停止しているポンプの運転開始が遅いことである。従って、図７（ｂ）に示される通り、第１ポンプ運転回数情報取得手段２２ａ及び第２ポンプ運転回数情報取得手段２２ｂによる１日当たりのポンプ運転回数は少なくなる。又、水圧が十二分に低下してからポンプが運転開始すると言うことは、それだけ遅く設定圧力に到達することを意味する。従って、図７（ｃ）に示される通り、第１ポンプ連続運転時間情報取得手段２３ａ及び第２ポンプ連続運転時間情報取得手段２３ｂによる１回当たりの連続運転時間は長くなる。又、上述した通り、水圧が十二分に低下してからポンプが運転開始すると言うことは、必然的に、ポンプの停止期間が長くなる。従って、図７（ｄ）に示される通り、第１ポンプ運転停止時間情報取得手段２４ａや第２ポンプ運転停止時間情報取得手段２４ｂによる１回当たりの運転停止時間は長くなって来る。又、停止しているポンプの運転開始が遅いと言うことは水圧の低下が大きいと言うことであるから、図７（ｅ）に示される通り、水圧情報取得手段２５で得られる運転開始時の圧力（水圧）は低くなる。
【００３６】
と言うことは、図７に示される特徴の情報が得られた場合には、圧力スイッチ１２が不良により設定値より低目で起動と言った不良現象を疑うことが出来る。
【００３７】
又、定水位弁装置１４の定水位弁が止水不良の場合を考える。止水不良と言うことは、給水回数情報取得手段２７による１日当たりの給水回数は、図８（ａ）に示される通り、少なくなる。これに対して、給水回数が少なくなると言うことは、受水槽１内に給水を開始してから次の給水開始までの給水間隔の時間が、図８（ｂ）に示される通り、長くなることを意味する。
【００３８】
と言うことは、図８に示される特徴の情報が得られた場合には、定水位弁装置１４における定水位弁の止水不良と言った不良現象を疑うことが出来る。
【００３９】
又、定水位弁装置１４の定水位弁が給水不良の場合を考える。給水不良と言うことは、給水回数情報取得手段２７による１日当たりの給水回数は、図９（ａ）に示される通り、多くなる。これに対して、給水回数が多くなると言うことは、受水槽１内に給水を開始してから次の給水開始までの給水間隔の時間が、図９（ｂ）に示される通り、短くなることを意味する。
【００４０】
と言うことは、図９に示される特徴の情報が得られた場合には、定水位弁装置１４における定水位弁の給水不良と言った不良現象を疑うことが出来る。
【００４１】
従って、上記現象をチェックすることによって、給水システムにおける如何なる個所（部品）が不良化しているかを知ることが可能になる。しかも、上記した情報は電話回線などを介して遠隔地にいても取得でき、それだけ管理コストも低廉になることを意味する。
【図面の簡単な説明】
【００４２】
【図１】本発明の給水システムの概略図
【図２】制御装置の概略図
【図３】制御装置のブロック図
【図４】第１のポンプ装置の吐出性能が劣化して来た場合の出力手段で出力された特性図
【図５】第１給水路における逆止弁が性能劣化して来た場合の出力手段で出力された特性図
【図６】圧力スイッチが性能劣化して来た場合の出力手段で出力された特性図
【図７】圧力スイッチが性能劣化して来た場合の出力手段で出力された特性図
【図８】定水位弁の止水不良の場合の出力手段で出力された特性図
【図９】定水位弁の給水不良の場合の出力手段で出力された特性図
【符号の説明】
【００４３】
１                      受水槽
５ａ，５ｂ              ポンプ装置
６ａ，６ｂ              給水路
８ａ，８ｂ              逆止弁
１１                    圧力計
１２                    圧力スイッチ
１３                    圧力タンク
１４                    定水位弁装置
１５                    水位検出手段
２１ａ，２１ｂ          合計運転時間情報取得手段
２２ａ，２２ｂ          ポンプ運転回数情報取得手段
２３ａ，２３ｂ          連続運転時間情報取得手段
２４ａ，２４ｂ          運転停止時間情報取得手段
２５                    水圧圧情報取得手段
２６                    給水間隔時間情報取得手段
２７                    給水回数情報取得手段
代  理  人  宇  高  克  己
【図１】
0005294236.tif 000002
【図２】
0005294236.tif 000003
【図３】
0005294236.tif 000004
【図４】
0005294236.tif 000005
【図５】
0005294236.tif 000006
【図６】
0005294236.tif 000007
【図７】
0005294236.tif 000008
【図８】
0005294236.tif 000009
【図９】
0005294236.tif 000010